(57)【要約】【課題】鉄道車両の乗務員が誤ってプラットホームの無い側のドアを開放する事故を確実に防止する。【解決手段】室内左（右）スイッチ１０を開操作したのち、室外左（右）スイッチ２０を開操作しなくては、左側（右側）ドアＤが開かないように構成する。左右の室外スイッチ２０はそれぞれ、車両Ｔの外側面における乗務員の乗降口１から一定距離だけ離れた位置に設置する。乗務員はプラットホームへ一旦降りなくては、室外スイッチ２０を操作できないことになるから、プラットホームの無い側の室外スイッチ２０が操作されることがない。よってプラットホームの無い側のドアＤが開かれる事故を確実に防止できる。【選択図】    図１
2010254010.tif 000002
【特許請求の範囲】
【請求項１】
鉄道車両の左右側面に設けられている乗客用ドアを開閉操作するための装置であって、
車両室内に左側ドア用の室内左スイッチ及び右側ドア用の室内右スイッチが設けられ、
車両の左外側面に左側ドア用の室外左スイッチが設けられると共に車両の右外側面に右側ドア用の室外右スイッチが設けられ、
室内左スイッチを開操作したのち室外左スイッチを開操作するとドア駆動手段が動作して左側ドアが開き、室内右スイッチを開操作したのち室外右スイッチを開操作するとドア駆動手段が動作して右側ドアが開くように設定され、
前記室外左スイッチ及び室外右スイッチは、乗務員が車両室内から操作するよりも、車外に出て操作する方が容易となるように構成されている
ことを特徴とする鉄道車両のドア開閉装置。
【請求項２】
前記室外左スイッチ及び室外右スイッチは、車両外側面における乗務員の乗降口から一定距離だけ離れた位置に設置されていることを特徴とする請求項１に記載する鉄道車両のドア開閉装置。
【請求項３】
前記室外左スイッチ及び室外右スイッチは、それぞれの操作面を、室内に居る乗務員が乗降口からは直視することができないように傾斜させたことを特徴とする請求項１に記載する鉄道車両のドア開閉装置。
【請求項４】
前記室外左スイッチ及び室外右スイッチの操作面上に開閉可能な蓋を設けたことを特徴とする請求項１に記載する鉄道車両のドア開閉装置。
【請求項５】
車両の運転室内に室内左スイッチ及び室内右スイッチが設けられ、
車両外側面における運転士乗降口から一定距離離れた位置に室外左スイッチ及び室外右スイッチが設置され、
室外左スイッチ及び室外右スイッチは、運転室に最も近い位置の乗客用ドアを開放するための前ドア操作部と、その他の乗客用ドアの少なくとも１つを開放するための後ドア操作部とを有している請求項１乃至４のいずれかに記載する鉄道車両のドア開閉装置。
【請求項６】
車両外側面に設けられる室外左スイッチ及び室外右スイッチに、ドアを閉止するための閉操作部を設けた請求項１乃至５のいずれかに記載する鉄道車両のドア開閉装置。
【発明の詳細な説明】
【技術分野】
【０００１】
本発明は、鉄道車両の乗客用ドアを開閉操作するための装置に関し、詳しくは、車両が駅に停車したときに、乗務員が誤ってプラットホームの無い側のドアを開放するという事故（ドア誤扱い事故）を確実に防止できる技術の提供を目的とする。
【背景技術】
【０００２】
鉄道車両が駅プラットホームに停車したならば、乗務員がドア開閉装置を操作して乗客用ドアを開放する。車掌が乗務している場合は、車掌が車掌スイッチを操作してドアの開閉を行なう。しかし運転士のみが乗務するワンマン列車では、駅到着時に、運転士がドアの開閉操作を行なう。
【０００３】
従来のワンマン列車は、運転台にドア開閉スイッチが設置され、運転士が運転席に着座したままでドアの開閉操作が可能となっている。このドア開閉スイッチの操作部は、レバー式スイッチ（トグル式スイッチ）、押しボタン式スイッチ等で構成され、列車進行方向に向かって左側のドア用スイッチと右側のドア用スイッチとが、それぞれ独立して操作できるよう左右に分離して配置される。ワンマン列車が駅に停車した際、運転士は、プラットホームが車両の左右どちら側に在るかを確認して、プラットホームが在る方のドア用スイッチを操作してドアを開く。
【０００４】
前記従来のワンマン列車におけるドア開閉スイッチでは、運転士の不注意により、プラットホームの無い側のドアを開放する可能性がある。つまり、運転士が間違った側のドアスイッチを操作したならば、プラットホームの有無にかかわらず、スイッチ操作された側のドアは開放されてしまう。ワンマン列車の運転士は、列車の運転と共に、駅停車時には運賃の収受や乗客との対応などの業務をこなす必要があるため、車掌がドア扱いを行なう場合に比べると、注意力低下や意識迂回に基づくヒューマンエラーを生じやすいと推測される。しかも従来は、このような誤操作を防止する手段は特に備えられていない。
【０００５】
そこで、上述したようなドア誤扱い事故を防止するための手段がいくつか提案されている。特許文献１には、駅側に設けた無線機から成る地上手段と、車両側に設けた無線機から成る車上手段との間でデータ通信を行ない、到着駅のプラットホームが列車の左右どちら側となるのかの情報をあらかじめ取得することにより、運転士が間違った側のドア開閉スイッチを操作したとしても、ドアが開放されないようにインターロックする技術が記載されている。あるいは、運転室に、運転台のドア開閉スイッチとは別に、左右のドアに対応する第２のドアスイッチを、運転士が立ち上がって操作する位置に設置し、運転台の第１のドアスイッチを操作したのち、第２のドアスイッチを操作しなくてはドアが開放されないようにする技術が提案されている。
【先行技術文献】
【特許文献】
【０００６】
【特許文献１】特開２００２−２０５６４０号公報
【発明の概要】
【発明が解決しようとする課題】
【０００７】
前者の特許文献１に記載される技術は、地上手段を各駅に設置すると共に車上手段を各列車に配備する必要があり、実施には多大な費用が発生するという問題がある。また、当該技術におけるドア誤扱い事故の防止に対する信頼性は、使用する機器の信頼性に依存する。従って、地上手段及び車上手段を例えば無線機で構成した場合、機器の故障や電波障害などが発生したときには、安全に対する信頼性が著しく低下する。また、地上手段及び車上手段の正常動作を保証するため定期的な点検が必要となり、保守作業員の負担が増大するという問題もある。
【０００８】
特許文献１の技術に比べると、後者の技術は、車両に第２のドアスイッチを増設するだけであり、駅側の改造が不要であるから、実施コストが少なくて済む。また原理的に、万一、機器に不具合（例えば第１ドアスイッチ又は第２ドアスイッチの不具合など）が生じたとしても、その場合はドアが開放されないだけであり、予定していない方のドアが誤って開くということは有り得ない。しかしながら運転士の注意力低下や意識迂回のため、運転台においてプラットホームの無い側の第１ドアスイッチを誤操作してから、続いて同じ側（プラットホームの無い側）の第２ドアスイッチを誤操作したときには、プラットホームの無い側のドアが誤って開放される事故を招くこととなる。かかるドア誤扱い事故は、発生頻度がきわめて低いものの、ヒューマンエラーを起因とするものであるため、発生の可能性を完全に排除するのは困難である。
【課題を解決するための手段】
【０００９】
本発明は前記従来の問題点を解消するために創案したものであって、その特徴とするところは、鉄道車両の左右側面に設けられている乗客用ドアを開閉操作するための装置であって、車両室内に左側ドア用の室内左スイッチ及び右側ドア用の室内右スイッチが設けられ、車両の左外側面に左側ドア用の室外左スイッチが設けられると共に車両の右外側面に右側ドア用の室外右スイッチが設けられ、室内左スイッチを開操作したのち室外左スイッチを開操作するとドア駆動手段が動作して左側ドアが開き、室内右スイッチを開操作したのち室外右スイッチを開操作するとドア駆動手段が動作して右側ドアが開くように設定され、前記室外左スイッチ及び室外右スイッチは、乗務員が車両室内から操作するよりも、車外に出て操作する方が容易となるように構成されていることである。
【００１０】
前記において「左」「右」とは、車両進行方向に対する左・右を指すものとする。従って、車両の進行方向によって左右は入れ替わるが、本発明における左スイッチ・右スイッチは、操作対象とするドアが異なる以外、実質的に同一の機能を有するものであるので、進行方向によりスイッチ名称が左右入れ替わっても何ら支障はない。なお以下の説明において、室内左スイッチ及び室内右スイッチを合わせて「室内スイッチ」、室外左スイッチ及び室外右スイッチを合わせて「室外スイッチ」と称する場合がある。
【００１１】
室外左スイッチ及び室外右スイッチを、乗務員が車両室内から操作するよりも、車外に出て操作する方が容易となるようにするための具体的な手段としては、前記室外左スイッチ及び室外右スイッチを、車両外側面における乗務員の乗降口から一定距離だけ離れた位置に設置することが考えられる。この場合、乗務員乗降口から室外スイッチまでの具体的な距離は、車両の種類や使用するスイッチの構造等に応じ適宜設定され、通常は６００〜１０００ｍｍ（好ましくは６５０〜７５０ｍｍ）の範囲とする。また室外スイッチは、乗務員乗降口に対し、車両進行方向の前後（上り側・下り側）のいずれに配置してもよい。
【００１２】
室外スイッチの操作が、車両室内からよりも、車外に出た方が容易となるようにするための他の手段としては、室外左スイッチ及び室外右スイッチそれぞれの操作面を、室内に居る乗務員が乗降口からは直視することができないように傾斜させることが考えられる。この場合、操作面の傾斜角度は、室外スイッチの乗降口からの距離に基づいて適宜設定される。すなわち、車両室内から室外スイッチの操作面を直視できないようにするには、室外スイッチの位置が乗降口から近いときは操作面の傾斜角度を大きく設定すればよく、乗降口からの距離が大きいときは傾斜角度は小さくてもよい。
【００１３】
さらに、室外スイッチの操作が車外からの方が容易となるようにする手段として、室外左スイッチ及び室外右スイッチの操作面上に、開閉可能な蓋を設けるという手法も考えられる。
【００１４】
本発明に係るドア開閉装置は、ワンマン列車に適用することが考えられ、この場合、車両の運転室内に室内左スイッチ及び室内右スイッチを設け、車両外側面における運転士乗降口から一定距離離れた位置に室外左スイッチ及び室外右スイッチを設置し、さらに、室外左スイッチ及び室外右スイッチは、運転室に最も近い位置の乗客用ドアを開放するための前ドア操作部と、その他の乗客用ドアの少なくとも１つを開放するための後ドア操作部とを有するものとすることが望ましい。ここで、後ドア操作部の操作で開く少なくとも１つのドアとは、通常は、室外スイッチを設置した車両の最後部のドア１つだけであるが、車両運用等の状況に応じて、他のドアも開くように設定することも妨げない。
【００１５】
なお本発明に係るドア開閉装置は、前述の構成に加えて、車両外側面に設けられる室外左スイッチ及び室外右スイッチに、ドアを閉止するための閉操作部を設けることも可能である。
【発明の効果】
【００１６】
本発明の効果を、駅プラットホームが左側に位置するように車両が停止する場合を例にして説明する。車両が駅に停車した後、乗務員が車両左側のドアを開放するには、室内左スイッチを開操作したのち、室外左スイッチを開操作しなくてはならない。室外左スイッチは、乗務員が車両室内から操作するよりも、車外に出て操作する方が容易となるように構成されているから、乗務員は室内左スイッチを開操作したのち、乗降口からプラットホームへ一旦降りて、室外左スイッチを操作することになる。つまり、乗務員がスイッチ操作して開放するドアは、必ずプラットホームの在る左側となる。室内スイッチの操作後、誤って乗務員がプラットホームの無い右側の乗降口から降りようとしても、プラットホームが存在しないために降りられず、それ故、室外右スイッチを操作することはできない。従って乗務員が、注意力低下や意識迂回のため誤って室内右スイッチの開操作を行なったとしても、引き続き室外右スイッチが操作される可能性を無くせるから、プラットホームの無い右側のドアが開かれる事故を確実に防止できる。このように本発明は、乗務員の注意力に頼ることなく、人間工学的な手法により、ドア誤扱いを防止するものであるから、たとえ乗務員に注意力低下や意識迂回等に基づくヒューマンエラーが生じたとしても、それを起因とするドア誤扱い事故の発生を確実に排除できる。また本発明を採用する結果、乗務員のドア扱い時における心理的負担を軽減できるという利点も得られる。
【００１７】
なお、最初に誤って室内右スイッチを開操作したときは、乗務員がプラットホームに降りて室外左スイッチを操作してもドアが開かない。この場合、乗客に対し不便をかけることになるとしても、反対側のプラットホームの無い側のドアが誤って開かれることは決してないから、乗客に対する身体的な安全は保証される。
【００１８】
また本発明に係るドア開閉装置は、室内スイッチを開操作したのちでなければ、室外スイッチを操作してもドアが開くことがないように構成されているので、駅に停車する直前の低速走行時に、予期しない障害物が室外スイッチに接触したり、外部から室外スイッチを不正に操作されたりしたとしても、ドアが開放されることは決してない。
【００１９】
室外スイッチを操作するのに、乗務員が乗降口から必ずプラットホームへ降りるようにするための方策として、室外スイッチを乗務員乗降口から一定距離だけ離れた位置に設置するという手段を採用することにより、乗務員が車両室内から室外スイッチを操作するのが困難になるので、室外スイッチを操作する際には必ずプラットホームへ降りることになる。その結果、プラットホームの無い側のドアが開かれる事故を確実に防止できる。また当該手段は構成が簡単であるから、実施に要するコストを小さくできるという効果が得られる。
【００２０】
室外スイッチの操作面を、室内に居る乗務員が乗降口からは直視することができないように傾斜させる構成を採用した場合、乗務員は車両室内に止まっている限り、室外スイッチの操作面を確認することができない。それ故、室外スイッチを操作する際には、操作面を確認するため、乗務員は必ずプラットホームへ降りることになるから、プラットホームの無い側のドアが開かれる事故を確実に防止できる。
【００２１】
また当該手段を採用した場合は、スイッチ操作面を車両側面と同一又は平行に配置する場合と比べて、乗降口から近い位置に室外スイッチを配置することが可能となる。スイッチ操作面を車両側面と同一又は平行に配置する場合は、乗降口から６００ｍｍ以上離すことが望ましいと考えられるのに対し、操作面を傾斜させた場合は、室外スイッチを乗降口から例えば３００ｍｍ程度の近い位置に配置することが可能となる。それ故、プラットホームに降りた後、乗務員は迅速にスイッチ操作をすることが可能である。
【００２２】
なお、室外スイッチの操作面を室内からは直視することができないという条件を満たすには、室外スイッチの乗降口からの距離に応じて、スイッチ操作面の傾斜角度を決定する必要がある。すなわち、傾斜角度を大きく設定すれば室外スイッチを乗降口の近くに設置することができ、傾斜角度を小さく設定したときは室外スイッチの乗降口からの距離を大きくすることが必要となる。
【００２３】
室外スイッチの操作面上に開閉可能な蓋を設ける構成を採用した場合は、室外スイッチを乗降口から適当な距離に配置することにより、乗務員が車両室内から蓋を開いて室外スイッチを操作するのを困難にできる。依って乗務員は、室外スイッチを操作する際、必ずプラットホームへ降りることになるから、非プラットホーム側のドアを開く事故を確実に防止できる。なお当該構成を採用することによっても、室外スイッチを乗降口から比較的近い位置に配置することが可能となる。また、通常は操作面上が蓋で覆われるから、室外スイッチへの不正アクセスを防止できる効果が発揮される。
【００２４】
本発明に係るドア開閉装置は、ワンマン列車へ適用することにより、運転士のドア誤扱い事故を確実に防止することができる。この場合、運転士は、運転台の室内スイッチを開操作したのち、乗降口からプラットホームへ降りて室外スイッチを開操作するので、必ずプラットホームの在る側の乗客用ドアを開き、反対側のドアを誤って開くことは決してない。さらに室外左スイッチ及び室外右スイッチに、運転室に最も近い位置の乗客用ドアを開放するための前ドア開操作部と、その他の乗客用ドアを開放するための後ドア操作部とを設けることにより、運転士がプラットホームに降りた状態で、ワンマン列車で採用されている前降り・後乗りのドア扱いを実施することが可能となる。
【００２５】
さらに本発明に係るドア開閉装置において、室外左スイッチ及び室外右スイッチそれぞれに、ドアを閉止するための閉操作部を設けた場合は、乗務員がプラットホームに降りた状態で、車外からドアの閉止を実行することができる。従って、ドア閉止時に乗客の乗降の有無を確認できるから、乗客に対する安全性をより高めることが可能である。
【図面の簡単な説明】
【００２６】
【図１】本発明の第１の実施形態に係るドア開閉装置を適用したワンマン列車の運転室を概略的に示す平面図である。
【図２】本発明の第１の実施形態に係るドア開閉装置の概略構成を示すブロック図である。
【図３】本発明の第１の実施形態に係るドア開閉装置を適用したワンマン列車の運転室周辺を概略的に示す側面図であって、図（Ａ）は室外スイッチを乗降口より前方に配置した例、図（Ｂ）は室外スイッチを乗降口より後方に配置した例を示すものである。
【図４】本発明の第１の実施形態に係るドア開閉装置における室外スイッチの設置領域を説明する車両の要部側面図である。
【図５】本発明に係るドア開閉装置における室外スイッチの各種態様を例示する図面である。
【図６】本発明に係るドア開閉装置における室内スイッチの異なるスイッチ構成を例示する図面である。
【図７】本発明の第２の実施形態に係るドア開閉装置に関するものであって、図（Ａ）は室外スイッチの設置要領を説明するための車両の乗降口付近を概略的に示す平面図、図（Ｂ）は室外スイッチを乗降口から見た側面図、図（Ｃ）は室外スイッチの操作面の正面図である。
【図８】本発明の第３の実施形態に係るドア開閉装置に関するものであって、図（Ａ）は室外スイッチの設置要領を説明するための車両の乗降口付近を概略的に示す平面図、図（Ｂ）は室外スイッチの蓋を閉じた状態の正面図、図（Ｃ）は室外スイッチの蓋を開いた状態の正面図である。
【発明を実施するための形態】
【００２７】
［第１の実施形態］
本発明を、ワンマン列車のドア開閉装置に適用した場合の実施形態について説明する。図１に示す如く、車両Ｔの運転室Ｒ内に備えられる運転台Ｕに、ドア開閉装置の室内スイッチ１０の操作盤１０ａが設けられ、車両Ｔの左右外側面それぞれにおける乗降口１Ｌ，１Ｒから一定距離だけ離れた位置に、室外左スイッチ２０Ｌ及び室外右スイッチ２０Ｒが設置されている。上述の室内スイッチ１０及び室外左右スイッチ２０Ｌ，２０Ｒと、ドアを開閉駆動する手段（戸閉め装置）とで、乗客用ドアＤを開閉操作するドア開閉装置が構成される。なお図１には、室外スイッチ２０を、車両Ｔの表面から若干突出するように示したが、車両Ｔの表面と面一に設置するのが望ましく、または車両Ｔ表面から若干引っ込むように構成することも妨げない。
【００２８】
運転台Ｕに配設される室内スイッチ１０の操作盤１０ａは、例えば図２に示す如く構成される。なお本例では、各スイッチを押しボタン式スイッチで構成してある。図示する操作盤１０ａにおいて、左側へ一列に配置されたスイッチ群は、車両左側の乗客用ドアＤに対応する室内左スイッチ１０Ｌであり、右側へ一列に配置されたスイッチ群は、車両右側の乗客用ドアＤに対応する室内右スイッチ１０Ｒである。室内左スイッチ１０Ｌ及び室内右スイッチ１０Ｒはそれぞれ、全部のドア又は前側ドアを開く前・全ドア開スイッチ１１Ｌ，１１Ｒ、後側のドアを開く後ドア開スイッチ１２Ｌ，１２Ｒ、開いたドアを閉止するためのドア閉スイッチ１３Ｌ，１３Ｒから成る。
【００２９】
操作盤１０ａの中央には、ドアの開放モードを選択する全車・自車切替スイッチ１４が設けられている。切替スイッチ１４を全車モードに設定したときは、前・全ドア開スイッチ１１Ｌ（１１Ｒ）を押し込み操作することにより、操作した側の全部のドアＤが開放可能な状態となる。切替スイッチ１４を自車モードに設定すると、通常は、前・全ドア開スイッチ１１Ｌ（１１Ｒ）を押し込み操作することにより、運転室に最も近い最前位置のドアＤだけが開放可能な状態となり、後ドア開スイッチ１２Ｌ（１２Ｒ）の押し込み操作により、運転室が設けられた車両の最後部のドアＤが開放可能な状態になる。また、ドア閉スイッチ１３Ｌ（１３Ｒ）を押し込み操作することで、開放されたドアを閉止することができる。
【００３０】
前記室内スイッチ１０だけの操作ではドアの開放が実行されないようにするため、室外スイッチ２０が組み合わされる。室外スイッチ２０は、左側のドアに対応する室外左スイッチ２０Ｌと右側のドアに対応する室外右スイッチ２０Ｒとから成る。室外スイッチ２０の取り付け位置は、図３（Ａ）（Ｂ）に示すように、車両Ｔの側面における乗務員乗降口１から一定距離だけ離れた位置とする。一定距離を確保できるのであれば、室外スイッチ２０の取付位置は、車両進行方向の前側領域Ｘでも後側領域Ｙでもよい。（本例では運転士Ｍがドア開閉装置を操作するワンマン列車を想定しているので、図３における左側が、車両Ｔの進行方向前側となっている。）また室外スイッチ２０の取付高さも、特に限定されるものではない。実際的には、室外スイッチ２０の具体的な配置は、車両の構造や電気配線の状態に応じ適宜決定すればよい。
【００３１】
室外スイッチ２０の望ましい取付位置は、図４に示す如く、乗務員乗降口１からの距離Ｗ１＝６００ｍｍ以上（より好ましくは７００ｍｍ以上）離れた領域Ｘ．Ｙとする。その理由は、運転士Ｍが運転室内に止まったままの状態ではスイッチ操作をするのが困難であり、図３に示すように、運転士Ｍが乗降口１からプラットホームＰへ降り立てば、スイッチ操作が容易となるようにするためである。このように、室内に止まるよりもプラットホームＰへ降りた方がスイッチ操作が容易になるような離隔位置に室外スイッチ２０を配置すれば、運転士Ｍは、室外スイッチ２０を操作する際には必ずプラットホームＰへ降り立つことになるから、乗客用ドアＤを開放する前に、プラットホームＰの有無を確認することができる。
【００３２】
なお、室外スイッチ２０を乗降口１からあまり遠くに設置すると、運転士Ｍがスイッチ操作するための移動距離が長くなり、操作性が悪くなる。また、乗客用ドアＤに近い位置であると、乗客が、半自動設定時に使用する乗客用のドア開閉スイッチと誤解するおそれが生じる。従って、室外スイッチ２０の乗降口１からの最大距離Ｗ２は１０００ｍｍ以内とするのが望ましい。
【００３３】
室外スイッチ２０は、室内スイッチ１０（図２参照）と連動して、操作した側の乗客用ドアＤを開放するためのものであるが、操作態様に応じ、室内スイッチ１０及び室外スイッチ２０の具体的なスイッチ構成は、適宜変更することが可能である。ワンマン列車にあっては、停車駅が有人駅であるか無人駅であるかに応じドア開閉の扱いを全車モード・自車モードに切り替えるのが普通であるから、これに合わせて、室外スイッチ２０も、乗客用ドアＤを前後個別に開放操作できるよう構成することが望ましい。そのため図５（Ａ）に示す如く、室外スイッチ２０に、前ドア操作部となる前スイッチ２１及び後ドア操作部となる後スイッチ２２を設ける。この場合、室内スイッチ１０の全車・自車切替スイッチ１４を全車モードに設定したときは、運転士が室内の前・全ドア開スイッチ１１Ｌ（１１Ｒ）を開操作したのち、プラットホームに降りて室外の前スイッチ２１を操作することにより、操作した側の乗客用ドアＤが全て開く。切替スイッチ１４を自車モードに設定したときは、室内の前・全ドア開スイッチ１１Ｌ（１１Ｒ）を開操作したのち、室外の前スイッチ２１を操作することにより、操作した側の乗客用ドアＤのうち運転室に最も近いドアＤだけが開く。引き続き室外の後スイッチ２２を操作すれば、運転室の有る車両Ｔにおける最後部のドアＤを開くことができる。なお通常は、後スイッチ２２で開放されるのは、運転室の有る車両Ｔの最後部ドアＤだけとされるが、状況に応じ、操作した側の残りの全ドアＤが開くように設定することも妨げない。
【００３４】
図５（Ｂ）に例示する如く、室外スイッチ２０に、ドアＤを閉止するための閉スイッチ２３（閉操作部）を併設してもよい。これにより、ドアＤの閉操作を車両Ｔの室外で実行することが可能となる。かかる構成によれば、ドアＤの閉止操作をする際に、乗客がドアＤと干渉していないかどうか、また駆け込み乗車をしようとする者がいないかどうか等を確認できるから、ドア閉止時の安全性を確保するのが容易となる。なお、この場合において、運転室の室内スイッチ１０に設けたドア閉スイッチ１３Ｌ，１３Ｒを操作することによっても、全部のドアＤを閉止できるように構成される。
【００３５】
図５（Ａ）（Ｂ）に例示したように、室外スイッチ２０に前スイッチ２１及び後スイッチ２２を設けた場合、図６に示す如く、室内スイッチ１０には単一のドア開スイッチ１５Ｌ，１５Ｒのみ設けることも考えられる。この場合、切替スイッチ１４を全車モードに設定したときは、室内のドア開スイッチ１５Ｌ（１５Ｒ）を操作した後、室外で前スイッチ２１を操作することにより、操作側の全ドアを開放することが可能である。切替スイッチ１４を自車モードに設定したときは、室内のドア開スイッチ１５Ｌ（１５Ｒ）を操作した後、室外で前スイッチ２１を操作することにより、操作側ドアＤのうち運転室に最も近い最前のドアが開放され、引き続き後スイッチ２２を操作することにより、後方のドアを開放することができる。最後に、室外の閉スイッチ２３（図５（Ｂ）の場合）を操作することにより、または室内のドア閉スイッチ１３Ｌ（１３Ｒ）を操作することにより、ドアＤを全て閉止することができる。
【００３６】
ところで、列車の駅停車時に開放するドアを、原則として全てのドアまたは特定のドアだけに固定する場合は、図５（Ｃ）又は（Ｄ）に示すように、室外スイッチ２０に設けるのを前後の区別のない開スイッチ２４とすることが可能である。この場合、室内スイッチ１０の全車・自車切替スイッチ１４を全車モードに設定したときは、運転士が室内の前・全ドア開スイッチ１１Ｌ（１１Ｒ）を開操作したのち、プラットホームに降りて室外の開スイッチ２４を操作することにより、車両Ｔにおける操作した側の乗客用ドアＤが全て開く。切替スイッチ１４を自車モードに設定したときは、室内の前・全ドア開スイッチ１１Ｌ（１１Ｒ）を開操作したのち、室外の開スイッチ２４を操作することにより、通常は、操作した側のドアＤのうち運転室に最も近いドアＤだけを開く。この場合、後方のドアＤを開放することは行なわない。しかるのち、室外の閉スイッチ２３または室内のドア閉スイッチ１３Ｌ（１３Ｒ）を操作すれば、開放したドアＤを全て閉じることができる。
【００３７】
前述の如く構成されたドア開閉装置の機能を以下に説明する。なお、室内スイッチ１０については図２のスイッチ構成とし、室外スイッチ２０は図５の（Ａ）又は（Ｂ）に示すスイッチ構成とした場合を想定する。
【００３８】
車両Ｔが所定速度（例えば時速５ｋｍ）以上で走行中は、走行検知装置が保安装置として動作し、乗客用ドアＤが決して開くことがないように規制する。例えば、ドア開閉装置と電源との間の回路を電気的に切断することにより、室内スイッチ１０及び室外スイッチ２０の何れか一方又は両方が万一操作されたとしても、ドア駆動手段（戸閉め装置）へ通電されないように構成することが考えられる。
【００３９】
車両Ｔが駅に到着して停車したならば、ワンマン列車の運転士は、切替スイッチ１４で全車モードか自車モードかを選択する。停車駅に駅員が居るときは、通常、駅員が乗降客と対応できるので、全車モードを選択する。停車駅に駅員が不在のときは、運転士が乗客との間で運賃収受や質疑応答などの接客業務を行なう必要があるため、自車モードを選択する。
【００４０】
全車モード又は自車モードを設定した後、運転士は、室内スイッチ１０のうち、プラットホームの有る側の前・全ドア開スイッチ１１Ｌ（又は１１Ｒ）を操作する。これにより操作した側の乗客用ドアＤが開放可能となる。次いで、運転士が乗降口１からプラットホームに降りて、車両側面に設けた室外スイッチ２０の前スイッチ２１を操作する。全車モードのときは操作した側の全ドアＤが開き、自車モードのときは最前のドアＤのみが開放される。自車モードのときにおいて、さらに必要であれば、室外の後スイッチ２２を操作して、後方のドアＤを開放する。しかるのち、運転士は、室外の閉スイッチ２３、または室内のドア閉スイッチ１３Ｌ（１３Ｒ）を操作することにより、全部のドアを閉止する。
【００４１】
上に述べたように、本発明に係るドア開閉装置にあっては、同じ側の室内スイッチ１０及び室外スイッチ２０を続けて操作しなくてはならず、且つ、室外スイッチ２０は運転士が必ずプラットホームに降りて操作しなくては、ドアが絶対に開放されないよう構成されている。従って、仮に運転士が注意力の低下や意識迂回を起こしたとしても、プラットホームの無い側の乗客用ドアＤが開放されることは原理的に有り得ない。例えば、室内スイッチ１０におけるプラットホームの無い側の前・全ドア開スイッチ１１Ｌ（１１Ｒ）を誤って操作した場合は、運転士が操作する室外スイッチ２０は必ずプラットホームの有る側となるため、室内スイッチ１０と室外スイッチ２０とが整合しない。それ故プラットホームの無い側のドアが開かれることは決してない。
【００４２】
ところで、車両Ｔが駅に停車する直前の低速走行状態となった時には、駅の乗客が車両Ｔ側面の室外スイッチ２０に接触可能となる場合が考えられる。走行速度が所定値未満になると、走行検知装置による規制が解除される。しかし本発明では、室内スイッチ１０及び室外スイッチ２０の両方が操作されない限り、ドアＤが開放されることはないので、低速走行中に室外スイッチ２０に対し予期しない障害物が衝突したり不正アクセスが生じたりしたとしても、停車前にドアＤが開くという事故を確実に防止することができる。
【００４３】
［第２の実施形態］
図７に示すように、室外スイッチ２０の操作面２０ａを、車両Ｔの表面に対し適当に傾斜させることにより、室内に居る乗務員が乗降口１からは操作面２０ａを直視することができないように構成してもよい。例えば、図７（Ａ）に示す如く、車両Ｔの表面に設けた傾斜台３１に室外スイッチ２０を取り付ける。こうすると、室外スイッチ２０を乗降口１から見たときは、図７（Ｂ）の如く観察され、操作面２０ａを直視することができなくなる。その結果、乗務員が室外スイッチ２０を操作しようとするときは、プラットホームに降りて、操作面２０ａを確認できる位置へ移動する必要が生じる。従って、本例の構成によっても、乗務員がドアの開放操作をするときは、必ずプラットホームの在る側の室外スイッチ２０を操作することになるから、プラットホームの無い側のドアを誤って開く事故を確実に防止できる。
【００４４】
本例では、操作面２０ａを傾斜させたことにより、室外スイッチ２０を乗務員乗降口１から比較的近くに配置することが可能である。何故ならば、室外スイッチ２０における操作面２０ａの傾斜角度θと、車両Ｔ表面からの突出高さｈ（図７（Ａ）参照）とが適度に大きければ、乗降口１からの距離Ｗ３が短くても、乗務員が乗降口１から操作面２０ａを直視することができなくなるからである。なお、傾斜角度θを小さく設定したときは、乗降口１からの距離Ｗ３を適度に広くすればよい。
【００４５】
［第３の実施形態］
図８に示すように、室外スイッチ２０の操作面２０ａを、開閉可能な蓋３２で覆う構成も可能である。（なお図中の符号３３は、蓋を開閉操作するための把手である。）この場合、室外スイッチ２０は乗降口１から適度に離すことが望ましい。これにより、室内に居る乗務員は乗降口１から操作面２０ａを確認することができないから、室外スイッチ２０を操作しようとするときは、プラットホームに降りて、操作面２０ａを覆っている蓋３２を開ける必要が生じる。従って、本例の構成によっても、乗務員は必ずプラットホームの在る側の室外スイッチ２０を操作することになるから、プラットホームの無い側のドアを誤って開く事故を確実に防止できる。
【００４６】
［その他の実施形態］
以上、本発明の実施形態を、ワンマン列車に適用した場合について説明したが、車掌が乗務する列車に対して本発明を適用することも妨げない。この場合にあっても、車掌がドアの開放を行なう際には、必ずプラットホームに降りて室外スイッチ２０を操作することになる。よって本発明は、車掌がドア扱いする場合でも、非プラットホーム側のドアを開放するというドア誤扱い事故を防止するうえで有効に機能する。
【００４７】
なお車掌がドア扱いをする場合、車掌室は通常、列車進行方向の後方に位置するから、自車モードを選択したときにおいて、室外スイッチ２０で最初に開くのを、車掌室に最も近い最後部のドアとなるように設定してもよい。
【００４８】
また、室内スイッチ１０又は室外スイッチ２０は、押しボタン式以外に、トグルスイッチで構成することも可能である。
【符号の説明】
【００４９】
１…乗務員乗降口  １０…室内スイッチ  １０Ｌ…室内左スイッチ  １０Ｒ…室内右スイッチ  １１（Ｌ，Ｒ）…前・全ドア開スイッチ  １２（Ｌ，Ｒ）…後ドア開スイッチ  １３（Ｌ，Ｒ）…ドア閉スイッチ  １４…全車・自車切替スイッチ  １５（Ｌ，Ｒ）…ドア開スイッチ  ２０…室外スイッチ  ２０ａ…操作面  ２１…前スイッチ（前ドア操作部））  ２２…後スイッチ（後ドア操作部）  ２３…閉スイッチ（閉操作部）  ２４…開スイッチ  ３１…傾斜台  ３２…蓋  ３３…把手  Ｔ…車両  Ｒ…運転室  Ｕ…運転台  Ｍ…運転士  Ｐ…プラットホーム  Ｄ…乗客用ドア
【図１】
2010254010.tif 000003
【図２】
2010254010.tif 000004
【図３】
2010254010.tif 000005
【図４】
2010254010.tif 000006
【図５】
2010254010.tif 000007
【図６】
2010254010.tif 000008
【図７】
2010254010.tif 000009
【図８】
2010254010.tif 000010